【手続補正書】
【提出日】平成20年3月12日(2008.3.12)
【手続補正１】
【補正対象書類名】特許請求の範囲
【補正対象項目名】全文
【補正方法】変更
【補正の内容】
【特許請求の範囲】
【請求項１】
オペレーショナルアンプリファイアと受動回路素子とによって構成されるフィルタ回路を含み、受信されたＲＦ信号からデータを再生するＲＦ部と、
前記ＲＦ部で再生された前記データに対して無線方式に応じたベースバンド処理を施すベースバンド信号処理部と、
前記ＲＦ部で再生された前記データの伝送レートに対応したデータ伝送レート判定信号を形成するデータ伝送レート判定信号形成部と、
前記データ伝送レート判定信号に基づいて前記ＲＦ部における回路定数を調整する回路定数調整指令を形成し、該形成された回路定数調整指令を前記ＲＦ部に供給する回路定数調整部とを、含んで構成され、
前記オペレーショナルアンプリファイアは前記回路定数調整部からの回路定数調整指令に基づいて電流バイアス値が調整されることを特徴とする無線通信装置。
【請求項２】
オペレーショナルアンプリファイアと受動回路素子とによって構成されるフィルタ回路を含み、受信されたＲＦ信号からデータを再生するＲＦ部と、
前記ＲＦ部で再生された前記データに対して無線方式に応じたベースバンド処理を施すベースバンド信号処理部と、
前記ＲＦ部及びベースバンド処理部から取り扱うデータの伝送レートを表す情報を含む情報を得て判読することにより取り扱うデータの伝送レートを認識して該認識に基づく伝送レート認識データを形成する伝送レート認識データ形成部と、
前記データ伝送レート認識データに基づいて前記ＲＦ部における回路定数を調整する回路定数調整指令を形成し、該形成された回路定数調整指令を前記ＲＦ部に供給する回路定数調整部とを、含んで構成され、
前記オペレーショナルアンプリファイアは前記回路定数調整部からの回路定数調整指令に基づいて電流バイアス値が調整されることを特徴とする無線通信装置。
【請求項３】
オペレーショナルアンプリファイアと受動回路素子とによって構成されるフィルタ回路を含み、受信されたＲＦ信号からデータを再生するＲＦ部と、
前記ＲＦ部で再生された前記データに対して無線方式に応じたベースバンド処理を施すベースバンド信号処理部と、
前記ＲＦ部における信号処理過程で得られるキャリアに基づいて取り扱うデータの伝送レートに対応したデータ伝送レート検出信号を得るデータ伝送レート検出信号生成部と、
前記データ伝送レート検出信号に基づいて前記ＲＦ部における回路定数を調整する回路定数調整指令を形成し、該形成された回路定数調整指令を前記ＲＦ部に供給する回路定数調整部とを、含んで構成され、
前記オペレーショナルアンプリファイアは前記回路定数調整部からの回路定数調整指令に基づいて電流バイアス値が調整されることを特徴とする無線通信装置。
【請求項４】
前記回路定数調整指令に基づいて電流バイアス値が調整される前記オペレーショナルアンプリファイアを含んで構成される前記フィルタ回路は、当該オペレーショナルアンプリファイアと前記受動回路素子とによる回路部が複数カスケード接続されることによって構成されたＢｉｑｕａｄ型のフィルタ回路であることを特徴とする請求項１〜３の何れか一項に記載の無線通信装置。
【請求項５】
前記回路定数調整指令に基づいて電流バイアス値が調整される前記オペレーショナルアンプリファイアは、発生する電流値を異にする複数のバイアス電流発生回路のうちの一のバイアス電流発生回路を前記回路定数調整部からの前記回路定数調整指令に基づいて選択的に切り換えて回路動作に適用するように構成されていることを特徴とする請求項１〜３の何れか一項に記載の無線通信装置。
【請求項６】
前記データ伝送レート判定信号形成部は、前記ＲＦ部で再生されるデータに係るデータ列と所定の基準クロックパルス列との位相比較結果に基づいて前記データ伝送レート判定信号を形成するように構成されていることを特徴とする請求項１に記載の無線通信装置。
【請求項７】
前記ＲＦ部で再生されるデータに係るデータ列と所定の基準クロックパルス列との位相比較を行うＤＰＬＬ回路を備えていることを特徴とする請求項６に記載の無線通信装置。
【請求項８】
前記伝送レート認識データ形成部は、取り扱うＢｌｕｅｔｏｏｔｈ（登録商標）に準拠したデータ列におけるプリアンブル部のデータに依拠して前記データの伝送レートを認識するように構成されていることを特徴とする請求項２に記載の無線通信装置。
【手続補正２】
【補正対象書類名】明細書
【補正対象項目名】００３０
【補正方法】変更
【補正の内容】
【００３０】
図２において、ＲＦ部２００では、アンテナ１００から受信されたＲＦ信号がローノイズアンプ２０１を通してミキサ２０２に供給され、ここで局部発振器２０３の出力によってＩＦに変換され、ＢＰＦ（バンドパスフィルタ）２０４を通して復調器２０５に供給されて復調され、更に、ＬＰＦ（ローパスフィルタ）２０６を通して再生データが出力される。
図３に表わされたように、図２のＲＦ部２００から出力された再生データが、ＤＰＬＬ（Digital Phase Locked Loop）回路３５０内で、適宜の発振器で生成された自走クロックが分周器３５１で適切に分周されて生成された基準クロックと位相比較器３５２で位相比較されることによって、取り扱うデータの伝送レートに対応したデータ伝送レート判定信号が形成される。即ち、ＤＰＬＬ回路３５０は、ＲＦ部２００で再生されるデータに基づいて取り扱うデータの伝送レートに対応したデータ伝送レート判定信号を形成するデータ伝送レート判定信号形成部として機能する。尚、自走クロックについては、図２の復調器２０５におけるキャリア再生信号をこれに充当することもできる。
【手続補正３】
【補正対象書類名】明細書
【補正対象項目名】００３１
【補正方法】変更
【補正の内容】
【００３１】
上述のようにして形成されたデータ伝送レート判定信号が次段の回路定数調整部３６０に供給される。回路定数調整部３６０では、データ伝送レート判定信号に基づいてＲＦ部２００における所定の構成要素の回路定数を調整するための回路定数調整指令を形成し該形成された回路定数調整指令をＲＦ部の該当する一以上の構成要素に供給する。
本例では、図２に表わされたように、この回路定数調整指令は、パラメータ設定部１（２０７）を介して局部発振器２０３の周波数調整用に、また、パラメータ設定部２（２０８）を介してＢＰＦ２０４の周波数特性調整用に、更にまた、パラメータ設定部３（２０９）を介してＬＰＦ２０６の周波数特性調整用に夫々供給される。上記によって、局部発振器２０３の周波数、ＢＰＦ２０４及びＬＰＦ２０６の周波数特性が系全体として見たときに最適値となるように調整される。
【手続補正４】
【補正対象書類名】明細書
【補正対象項目名】００３３
【補正方法】変更
【補正の内容】
【００３３】
図４は、本発明の他の実施の形態としての無線通信装置の構成を表すブロック図である。
図５は、図４の無線通信装置におけるＲＦ部の詳細を表すブロック図である。
図４において、図１を参照して説明したところと同様に、アンテナ１００から受信されたＲＦ信号がＲＦ部２２０に供給される。ＲＦ部２２０はオペアンプと受動回路素子との組み合わせによって構成される一以上のフィルタ回路を自己の一部の構成要素として含みアンテナ１００からから供給されるデータを再生する。ＲＦ部２２０の後段に、このＲＦ部２２０から供給される再生出力データに対して無線方式に応じたベースバンド処理を施すベースバンド信号処理部３２０が設けられている。この無線通信装置が画像通信に適合するものとして構成されている場合、このベースバンド信号処理部３２０の出力に基づいて不図示の表示器に画像が映出され得ることになる。
【手続補正５】
【補正対象書類名】明細書
【補正対象項目名】００３４
【補正方法】変更
【補正の内容】
【００３４】
図５において、既述の図２との対応部は同一の符号を附して示し、それら各部の説明は省略するが、この図５の構成においては、特に、復調器２０５内部で復調処理する過程において一旦キャリアと呼ばれる無変調の信号を再生する。この無変調の信号と、変調波を比較すると、変調信号が現れ、データを再生することができる。このような復調器２０５を適用すると、再生されたキャリア自体がデータ伝送レートを示すクロックと同じ周波数(同じレートの信号)となっている。
【手続補正６】
【補正対象書類名】明細書
【補正対象項目名】００３９
【補正方法】変更
【補正の内容】
【００３９】
上述のように伝送レート認識データ形成部で形成されたデータ伝送レート認識データに基づいて回路定数調整指令が回路定数調整部で形成されるようにすれば、図２又は図５を参照して説明したところと全く同様の構成によって、該形成された回路定数調整指令がＲＦ部（２００，２２０）の該当する一以上の構成要素に供給される。
即ち、伝送レート認識データ形成部で、取り扱うデータの伝送レートを認識して、該認識に基づいて形成されたデータレート情報に応じて回路定数調整部で形成された回路定数調整指令を、ＲＦ部（２００，２２０）の局部発振器２０３、ＢＰＦ２０４、ＬＰＦ２０６に供給してそれらのパラメータ（回路定数）を調節し、システムに最適の条件とする。
【手続補正７】
【補正対象書類名】明細書
【補正対象項目名】００４９
【補正方法】変更
【補正の内容】
【００４９】
また、Ｒ，Ｃを複数の素子の並列接続として形成しておき、それらをスイッチにより適宜選択し可変抵抗、あるいは可変容量として用いることが出来る。このように、スイッチの切り換えで回路定数を調節することによりフィルタの特性を選択的に変更することができる。ＢＰＦの場合にも同様に定数を調節して、周波数、帯域特性などを変更できる。
以上を要するに、アナログフィルタに用いられるオペアンプの動作電流をコントロールすることにより（各周波数パラメータのみならず）、データレートに合わせた帯域特性を実現するように各該当する回路定数を調節する。このような調節を行うことにより、動作電流の低減が図られ、併せて、低レート時の感度をフィルタの帯域幅を最適化することにより改善することができる。